(57)【要約】【課題】軒先に取り付けられている軒樋を、軒先面に固定された軒樋支持具より簡易に取り外すことができる軒樋支持具を提供する。【解決手段】吊り具本体１０は前後または上下方向に延びた長孔１１ａを有しており、係止片３３は、吊り具本体１０に取り付けされる取付部３３ａと、耳収容凹所３１の下方開口３１ａに下方開口３１ａを塞ぐように配される蓋片部３３ｄとを備えており、取付部３３ａは、長孔１１ａの長手方向に沿ったスライド移動により下方開口３１ａを開放できるように、吊り具本体１０に対し、長孔１１ａを介して、連結軸１５にて取り付けられている。【選択図】図１
2019132018.tif 000002
【特許請求の範囲】
【請求項１】
吊り具本体の端部に、軒樋の耳部を耳収容凹所内に収容し係止する係止片が配設された軒樋支持具において、
前記吊り具本体は前後または上下方向に延びた長孔を有しており、
前記係止片は、前記吊り具本体に取り付けされる取付部と、前記耳収容凹所の下方開口に該下方開口を塞ぐように配される蓋片部とを備えており、
前記取付部は、前記長孔の長手方向に沿ったスライド移動により前記下方開口を開放できるように、前記吊り具本体に対し、前記長孔を介して、連結軸にて取り付けられていることを特徴とする軒樋支持具。
【請求項２】
吊り具本体の端部に、軒樋の耳部を耳収容凹所内に収容し係止する係止片が配設された軒樋支持具において、
前記係止片は、前後または上下方向に延びた長孔を有し前記吊り具本体に取り付けされる取付部と、前記耳収容凹所の下方開口に該下方開口を塞ぐように配される蓋片部とを備えており、
前記取付部は、前記長孔の長手方向に沿ったスライド移動により前記下方開口を開放できるように、前記吊り具本体に対し、前記長孔を介して、連結軸にて取り付けられていることを特徴とする軒樋支持具。
【請求項３】
請求項１または２において、
前記係止片はばね性を有しており、
前記耳部を下方からの押圧にて前記耳収容凹所に収容できるように前記蓋片部が配され得ることを特徴とする軒樋支持具。
【請求項４】
請求項１〜３のいずれか１項において、
前記耳部は後耳とされており、
前記取付部が前記耳収容凹所の前方に取り付けられていることを特徴とする軒樋支持具。
【請求項５】
請求項１〜４のいずれか１項において、
前記係止片は、さらに、前記連結軸を回転軸として横方向に回転して回転し得る構成とされており、該回転により前記下方開口を開放するようにしたことを特徴とする軒樋支持具。
【請求項６】
請求項５において、
前記蓋片部には上下方向に延びたレバー片が設けられていることを特徴とする軒樋支持具。
【発明の詳細な説明】
【技術分野】
【０００１】
本発明は、吊り具本体の端部に、軒樋の耳部を耳収容凹所内に収容し係止する係止片が配設された軒樋支持具に関する。
【背景技術】
【０００２】
従来のこの種の軒樋支持具として、係止片をばね性を有した板片で構成したものが種々提案されている（たとえば、特許文献１参照）。
【０００３】
このような軒樋支持具によれば、ばね性を有した係止片により、軒樋の後耳を上方へ押圧するだけで後耳を後耳収容凹所に収容、係止させることができ、施工の効率性が向上する。また、係止片が弾性復帰した状態では、後耳が下方に抜け落ちる下方開口が塞がれているため、後耳が外れるおそれもない。
【先行技術文献】
【特許文献】
【０００４】
【特許文献１】特開２０１７−２０３２６８号公報
【発明の概要】
【発明が解決しようとする課題】
【０００５】
ところで、軒樋を施工した後に、内部の掃除などの目的で軒樋を取り外すことが稀にある。しかしながら、後耳を後耳収容凹所に収容した後に後耳は後方の載置部に移動するため、その後、後耳を係止片側に移動させて係止片を下方に押圧して下方開口を開放させることはきわめて困難な作業とされていた。無理に引っ張って取り外そうとすれば、載置部や係止片が損傷するおそれもある。そのため従来では、軒樋を軒樋支持具とともに取り外すことが通例であった。
【０００６】
本発明は、このような事情を考慮して提案されたもので、その目的は、軒先に取り付けられている軒樋を、軒先面に固定された軒樋支持具より簡易に取り外すことができる軒樋支持具を提供することにある。
【課題を解決するための手段】
【０００７】
上記目的を達成するために、請求項１に記載の軒樋支持具は、吊り具本体の端部に、軒樋の耳部を耳収容凹所内に収容し係止する係止片が配設された軒樋支持具において、前記吊り具本体は前後または上下方向に延びた長孔を有しており、前記係止片は、前記吊り具本体に取り付けされる取付部と、前記耳収容凹所の下方開口に該下方開口を塞ぐように配される蓋片部とを備えており、前記取付部は、前記長孔の長手方向に沿ったスライド移動により前記下方開口を開放できるように、前記吊り具本体に対し、前記長孔を介して、連結軸にて取り付けられていることを特徴とする。
【０００８】
請求項２に記載の軒樋支持具は、吊り具本体の端部に、軒樋の耳部を耳収容凹所内に収容し係止する係止片が配設された軒樋支持具において、前記係止片は、前後または上下方向に延びた長孔を有し前記吊り具本体に取り付けされる取付部と、前記耳収容凹所の下方開口に該下方開口を塞ぐように配される蓋片部とを備えており、前記取付部は、前記長孔の長手方向に沿ったスライド移動により前記下方開口を開放できるように、前記吊り具本体に対し、前記長孔を介して、連結軸にて取り付けられていることを特徴とする。
【０００９】
請求項３に記載の軒樋支持具は、前記係止片はばね性を有しており、前記耳部を下方からの押圧にて前記耳収容凹所に収容できるように前記蓋片部が配され得ることを特徴とする。
【００１０】
請求項４に記載の軒樋支持具は、前記耳部は後耳とされており、前記取付部が前記耳収容凹所の前方に取り付けられていることを特徴とする。
【００１１】
請求項５に記載の軒樋支持具は、前記係止片は、さらに、前記連結軸を回転軸として横方向に回転して回転し得る構成とされており、該回転により前記下方開口を開放するようにしたことを特徴とする。
【００１２】
請求項６に記載の軒樋支持具は、前記蓋片部には上下方向に延びたレバー片が設けられていることを特徴とする。
【発明の効果】
【００１３】
請求項１に記載の軒樋支持具は上述した構成とされているため、施工済みの軒樋を軒樋支持具より簡易に取り外すことができる。
【００１４】
請求項２に記載の軒樋支持具は上述した構成とされているため、請求項１と同様、施工済みの軒樋を軒樋支持具より簡易に取り外すことができる。
【００１５】
請求項３に記載の軒樋支持具は上述した構成とされているため、軒樋の軒樋支持具への取り付けおよび取り外しをともに簡易に行うことができる。
【００１６】
請求項４に記載の軒樋支持具は上述した構成とされているため、軒樋の後耳を取り外す際には、係止片を前方にずらせばよい。
【００１７】
請求項５に記載の軒樋支持具は上述した構成とされているため、係止片がスライド移動だけでなく回転移動もできる構成であるため、いずれかの方法で耳収容凹所の開口を開放することができる。
【００１８】
請求項６に記載の軒樋支持具は上述した構成とされているため、係止片の操作をするときに操作がしやすい。
【図面の簡単な説明】
【００１９】
【図１】（ａ）は本発明の一実施形態に係る軒樋支持具の斜視図、（ｂ）は同軒樋支持具に含まれる係止片の拡大斜視図、（ｃ）は同拡大平面図である。
【図２】同軒樋支持具の取り付け状態を示す側面図である。
【図３】（ａ）は同軒樋支持具に対する軒樋の後耳の取り付け手順を示す部分側面図、（ｂ）は同後耳の取り外し手順を示す部分側面図である。
【図４】（ａ）は本発明の他の実施形態に係る軒樋支持具の側面図、（ｂ）（ｃ）は同軒樋支持具に含まれる２種の係止片の拡大斜視図ある。
【図５】同軒樋支持具に対する軒樋の取り外し手順を示す側面図である。
【図６】本発明のさらに他の実施形態に係る軒樋支持具に用いられる係止片の説明図である。（ａ）（ｂ）は同係止片のスライド移動態様を示す斜視図である。（ｃ）は同係止片の回転移動態様を示す平面図である。
【発明を実施するための形態】
【００２０】
以下に、本発明の実施の形態について、添付図面を参照して説明する。
【００２１】
図１および図４に示した２種の実施形態に係る軒樋支持具１は、軒樋５を吊り支持する吊り具本体１０の端部に、軒樋５の耳部５ｂ、５ａを耳収容凹所３１、２１内に収容し係止する係止片３３、２３が配設された軒樋支持具１である。吊り具本体１０は前後または上下方向に延びた長孔１１ａ、２５ａを有している。係止片３３、２３は、吊り具本体１０に取り付けされる取付部３３ａ、２３ａと、耳収容凹所３１、２１の下方開口３１ａ、２１ａに下方開口３１ａ、２１ａを塞ぐように配される蓋片部３３ｄ、２３ｃとを備えている。取付部３３ａ、２３ａは、長孔１１ａ、２５ａの長手方向に沿ったスライド移動により下方開口３１ａ、２１ａを開放できるように、吊り具本体１０に対し、長孔１１ａ、２５ａを介して、連結軸１５、１６にて取り付けられている。
【００２２】
なお以下では、係止片３３、２３を用いて係止する対象の耳部が後耳５ｂのものについては耳収容凹所を後耳収容凹所３１と記載し、前耳５ａのものについては前耳収容凹所２１と記載する。
【００２３】
ついで、各実施形態について順次説明する。まず、図１および図２に示した軒樋支持具１について説明する。
【００２４】
この軒樋支持具１は、軒樋５を支持する吊り具本体１０と、吊り具本体１０を軒先面３より前方に突出させるように支持する取付足４０と、取付足４０を軒先面３に固定させるようにした軒先取付板部４５とを備えている。軒先取付板部４５は、取付足４０の垂下片４２を固定させた中央基部４５ａと、その両側に軒先面３に固定具４７で固定される固定部４５ｂを備えた形状とされている。
【００２５】
取付足４０は、前方に延びた杆部４１と、杆部４１の後端より下方に延びた垂下片４２とよりなり、その垂下片４２が軒先面３に固定される軒先取付板部４５とリベット４６で連結、一体化されている。杆部４１の前端には連結片部４１ａが段落ち形成されている。この連結片部４１ａには、下方に配設、重合する吊り具本体１０に対してボルト４８で連結するための軸孔部（不図示）が開設されている。
【００２６】
吊り具本体１０は、出具合調整のために前後方向に直線状に延びてなる調整部１１を有しており、その調整部１１には長手方向に沿って長孔１１ａが形成されている。吊り具本体１０と、取付足４０とはボルト４８と蝶ナット４９とで連結されている。この蝶ナット４９を操作して、吊り具本体１０の軒先面３からの出具合、つまり軒樋５の軒先面３からの出具合を調整できるようになっている。
【００２７】
また吊り具本体１０は、調整部１１の前方部に前耳係止部２０を有し、調整部１１の後方部に後耳係止部３０を備えている。前耳係止部２０は軒樋５の前耳５ａを引っ掛けて係止する形状とされる一方、後耳係止部３０は後耳５ｂを後耳収容凹所３１に収容させて係止する構成とされている。
【００２８】
後耳収容凹所３１は、調整部１１の後部側に形成された凸部の下方に形成されており、後耳５ｂを載置させて支持する後耳支持部３２と、調整部１１に取り付けられた係止片３３とに、開放自在に囲まれた空間とされる。後耳支持部３２は、後耳５ｂが載置される載置部３２ａと、その載置部３２ａの前端より垂下したガイド部３２ｂとを有してなる。
【００２９】
軒樋５が施工された状態では、後耳５ｂが、後耳支持部３２の載置部３２ａに載置されて後耳収容凹所３１に配され、さらに後耳５ｂの下方に延びた軒樋５の後方壁５ｃが、後耳支持部３２のガイド部３２ｂの全面に沿うように配されている。また、後耳５ｂが後耳収容凹所３１に収容された状態では、係止片３３の（蓋片部３３ｄの）後端が後耳５ｂに接触または近接している。こうして後耳５ｂの後耳収容凹所３１からの抜け落ちを防止している。
【００３０】
この係止片３３は、上述したように、また図１（ｂ）に示すように、吊り具本体１０の調整部１１に取り付けされる取付部３３ａと、取付部３３ａの後端より下方にＬ字状に延び、後耳収容凹所３１の下方開口３１ａ（図３参照）を塞ぐように配される蓋片部３３ｄとを備えている。この蓋片部３３ｄは、垂下部３３ｅと横片部３３ｆとよりなり、取付部３３ａと蓋片部３３ｄとの全体は段差を有したＺ字形状とされている。なお、蓋片部３３ｄはＬ字形状でなくてもよく、取付部３３ａの後端より段差なく後方に延びた、係止片３３全体として平板状のものであってもよい。
【００３１】
取付部３３ａは略半円形状とされ、連結孔３３ｂを有しており、調整部１１の長孔１１ａにリベット等よりなる連結軸１５で取り付けされている。係止片３３は長孔１１ａに取り付けされているため、長孔１１ａに沿って前後方向への移動が可能とされている。
【００３２】
本実施形態のものはさらに、蓋片部３３ｄの幅方向の端部に板状に起立したレバー片３３ｇを備えている。また、この係止片３３はばね性を有している。なお、すくなくとも蓋片部３３ｄの横片部３３ｆのみがばね性を有していればよい。
【００３３】
本実施形態では、図２に示すように、係止片３３が長孔１１ａの後端部に取り付けされた状態で蓋片部３３ｄが後耳収容凹所３１の下方開口３１ａ（図３（ａ）参照）を塞ぐように配されており、係止片３３はその状態から前方へのスライド移動が可能とされている。たとえば、後耳収容凹所３１内における係止片３３の垂下部３３ｅの後方部（２点鎖線で示した部位Ｘ）にドライバーなどを差し込み前方へ押圧することで係止片３３を前方へスライド移動させることができる。
【００３４】
また、図１（ｃ）の部分平面図に示すように、係止片３３は、連結軸１５を回転軸として蓋片部３３ｄを後端を側方に向けるように回転させて後耳収容凹所３１の下方開口３１ａを開放することも可能とされている。
【００３５】
つぎに、図３（ａ）（ｂ）を参照しながら、本軒樋支持具１の後耳収容凹所３１に対する後耳５ｂの着脱手順について説明する。
【００３６】
後耳５ｂを後耳係止部３０に取り付ける場合には、図３（ａ）に示すように、後耳５ｂを後耳支持部３２のガイド部３２ｂの前面を滑らせるように上方に持ち上げ（白抜き矢印Ａ参照）、蓋片部３３ｄの横片部３３ｆを後耳収容凹所３１内に弾性変形させることで、後耳５ｂを後耳収容凹所３１内に収容させて載置部３２ａに載せ置く（白抜き矢印Ｂ参照）ようにすればよい。
【００３７】
後耳５ｂが正しく収容されれば蓋片部３３ｄは弾性復帰し、下方開口３１ａは蓋片部３３ｄの横片部３３ｆにより再び塞がれるとともに、後耳５ｂに前方より接触または近接して押さえることとなり、後耳５ｂが後耳係止部３０に係止されることとなる（図２参照）。この状態では、後耳５ｂは係止片３３の後方の載置部３２ａ側にあり、かつ、下方開口３１ａが係止片３３により塞がれているため、軒樋５が下方に移動しようとしても後耳５ｂが後耳収容凹所３１から抜け落ちる可能性はほとんどない。
【００３８】
後耳５ｂを後耳係止部３０より取り外す場合には、係止片３３を図３（ａ）の状態から前方へ（図３（ａ）の白抜き矢印Ｃ参照）スライド移動させて下方開口３１ａを開放するようにすればよい（図３（ｂ）参照）。そして、下方開口３１ａを開放した後に、後耳５ｂを載置部３２ａより前方に（図３（ｂ）の白抜き矢印Ｄ参照）ずらせば、下方開口３１ａより取り外しすることができる（図３（ｂ）の白抜き矢印Ｅ参照）。なお、上述したように、蓋片部３３ｄを、図１（ｃ）に示したように横方向に回転させて下方開口３１ａを開放することもできる。
【００３９】
このように本軒樋支持具１によれば、軒樋５を軒先に固定した軒樋支持具１より簡単に取り外すことができる。係止片３３をスライドさせたり回転させたりすることで軒樋５を取り外せるので、簡易にスムーズに軒樋支持具１の取り外しができる。軒樋５の後耳５ｂを無理に引っ張るなどする必要がないため、軒樋支持具１が損傷するおそれもない。
【００４０】
また、係止片３３は垂下部３３ｅを有して段差状に形成されているので、スライド移動させるためには垂下部３３ｅを前方に押すだけでよい。さらに、係止片３３はレバー片３３ｇを備えているため回転操作もしやすい。
【００４１】
なお、上述したように後耳５ｂの後耳係止部３０への取り付けも、係止片３３をスライド移動させて下方開口３１ａを開放した状態で行ってもよい。つまり、ばね性を有さない係止片３３を用いた軒樋支持具１を用いてもよい。
【００４２】
また、図１の実施形態では後耳５ｂを着脱する例を示したが、前耳５ａを着脱するものに係止片を採用してもよい。図４は、前耳５ａおよび後耳５ｂのいずれについても係止片２３、３３を用いて係止する構造とした軒樋支持具１の説明図である。
【００４３】
図４に示した軒樋支持具１は、おもに折板屋根７の軒先部分に取り付けて使用するものであり、軒樋５を支持する吊り具本体１０と、吊り具本体１０を折板屋根７に吊り下げるための吊りボルト５０とを備えている。吊りボルト５０は、その上部が折板屋根７に対してナット５２とナット付き山座５３とで固定されている。
【００４４】
吊り具本体１０は、出具合調整のために前後方向に直線状に延びてなる調整部１１を有しており、その調整部１１には長手方向に沿って長孔１１ａが形成されている。吊り具本体１０と、吊りボルト５０とは２つのナット５１で連結されている。これらのナット５１を操作して、吊り具本体１０の軒先先端部からの出具合、つまり軒樋５の軒先からの出具合を調整できるように構成されている。また、ナット５１の操作により吊り具本体１０の設置高さの調整も可能とされている。
【００４５】
また吊り具本体１０は、前方部に前耳係止部２０を有し、後方部に後耳係止部３０を備えている。前耳係止部２０は前耳収容凹所２１に前耳５ａを収容させて形成する構成とされ、後耳係止部３０は同様に、後耳収容凹所３１に後耳５ｂを収容させて係止する構成とされている。
【００４６】
前耳収容凹所２１は、調整部１１の前部側に形成された凸部の下方に形成されており、前耳５ａを載置させて支持する前耳支持部２２と、調整部１１から凸部への立ち上がり部２５の内面に取り付けられた係止片２３（以下、前耳係止片２３という）とに開放自在に囲まれた空間とされる。前耳支持部２２は前耳５ａが載置される載置部２２ａを有してなる。
【００４７】
後耳収容凹所３１は、調整部１１の後部側に形成された凸部の下方に形成されており、後耳５ｂを載置させて支持する後耳支持部３２と、調整部１１に取り付けられた係止片３３（以下、後耳係止片３３という）とに開放自在に囲まれた空間とされる。後耳支持部３２は後耳５ｂが載置される載置部３２ａを有してなる。
【００４８】
軒樋５が施工された状態では、前耳５ａが前耳支持部２２の載置部２２ａに載置されて前耳収容凹所２１に配されている一方、後耳５ｂが後耳支持部３２の載置部３２ａに載置されて後耳収容凹所３１に配されている。また、軒樋５が施工された状態では、前耳係止片２３の（蓋片部２３ｃの）前端が前耳５ａに接触または近接し、後耳係止片３３の（蓋片部３３ｄの）後端が後耳５ｂに接触または近接している。こうして前耳５ａおよび後耳５ｂの抜け落ちを防止している。
【００４９】
前耳係止片２３は、図４（ｂ）に示すように、立ち上がり部２５に取り付けされる取付部２３ａと、取付部２３ａの上端より折曲して前方に延び、前耳収容凹所２１の下方開口２１ａ（図５参照）を塞ぐように配される蓋片部２３ｃとを備えている。つまり、取付部２３ａと蓋片部２３ｃとの全体は倒Ｌ字形状とされている。
【００５０】
後耳係止片３３は、図４（ｃ）に示すように、調整部１１に取り付けされる取付部３３ａと、取付部３３ａの後端より下方にＬ字状に延び、後耳収容凹所３１の下方開口３１ａ（図５参照）を塞ぐように配される蓋片部３３ｄとを備えている。つまり、蓋片部３３ｄは垂下部３３ｅと横片部３３ｆとよりなり、取付部３３ａと蓋片部３３ｄとの全体は段差を有したＺ字形状とされている。
【００５１】
前耳係止片２３の取付部２３ａは連結孔２３ｂを有しており、立ち上がり部２５に形成した長孔２５ａにリベット等の連結軸１６で取り付けされている。前耳係止片２３は長孔２５ａに取り付けされているため、その長孔２５ａに沿って上下方向への移動が可能とされている。
【００５２】
後耳係止片３３の取付部３３ａは連結孔３３ｂを有しており、調整部１１の長孔１１ａにリベット等の連結軸１５で取り付けされている。後耳係止片３３は長孔１１ａに取り付けされているため、長孔１１ａに沿って前後方向への移動が可能とされている。
【００５３】
また、両係止片２３、３３はばね性を有している。なお、すくなくとも蓋片部２３ｃ、３３ｄ（後耳係止片３３の場合、蓋片部３３ｄの横片部３３ｆ）のみがばね性を有していればよい。また、これらの係止片２３、３３は図１に示したようなレバー片３３ｇを備えていないが、図１のもののように蓋片部２３ｃ、３３ｄにレバー片を設けてもよい。
【００５４】
本実施形態では、図４（ａ）に示すように、前耳係止片２３は、長孔２５ａに取り付けされた状態で蓋片部２３ｃが前耳収容凹所２１の下方開口２１ａを塞ぐように配されており、前耳係止片２３はその状態から上方または下方へのスライド移動が可能とされている。前耳係止片２３はさらに、連結軸１６を回転軸として蓋片部２３ｃの板面を側方に向けるように回転させて前耳収容凹所２１の下方開口２１ａを開放することも可能とされている。
【００５５】
また、後耳係止片３３は、調整部１１の長孔１１ａに取り付けされた状態で蓋片部３３ｄが後耳収容凹所３１の下方開口３１ａを塞ぐように配されており、係止片３３はその状態から前方へのスライド移動が可能とされている。
【００５６】
以上のように、前耳係止片２３および後耳係止片３３はいずれも、スライド、回転の両方の動作が可能とされ、いずれによっても下方開口２１ａ、３１ａの開閉をできる構成とされている。
【００５７】
図５は、軒樋５を取り外した状態を示した図である。この図には、前耳係止片２３の回転動作により下方開口２１ａを開放し、後耳係止片３３のスライド動作により下方開口３１ａを開放した例を示している。前耳係止片２３は、スライド動作により、図４の２点鎖線で示した箇所に蓋片部２３ｃを移動させて、下方開口２１ａを開放するようにしてもよい。また、前耳係止片２３を下方にスライド移動させて、下方開口２１ａを開放するようにしてもよい。
【００５８】
このように本軒樋支持具１によれば、軒樋５を軒先に固定した軒樋支持具１より簡単に取り外すことができる。前耳係止片２３、後耳係止片３３をスライドさせたり回転させたりして軒樋５を取り外せるので、軒樋支持具１が損傷するおそれもなく、スムーズに取り外しができる。もちろん、前耳５ａ、後耳５ｂの取り付けも、係止片２３、３３を移動させ下方開口２１ａ、３１ａを開放した状態で行ってもよい。つまり、ばね性を有さない係止片を用いてもよい。
【００５９】
なお、前耳係止片２３は立ち上がり部２５の長孔２５ａに取り付けて上下方向へ移動できるようにしてあるが、調整部１１の長孔１１ａに取り付けられるような形状にして、前後方向に移動させることで下方開口２１ａを開放できる構成にしてもよい。また、後耳係止片３３は調整部１１の長孔１１ａに取り付けて前後方向へ移動できるようにしてあるが、後耳係止部３０の凸部の立ち上がり部３５に長孔を設けて、その長孔に取り付けられるような形状にして、上下方向に移動させることで下方開口３１ａを開放できる構成にしてもよい。
【００６０】
以上の２実施形態のように、係止片３３、２３の取り付け対象である長孔１１ａ、２５ａは、図１、図４に示した後耳係止片３３のように、調整部１１に設けた出具合調整用の長孔１１ａであってもよいし、図４の例で示した前耳係止片２３のように、前耳係止部２０側の立ち上がり部２５の長孔２５ａのように係止片２３専用の長孔２５ａであってもよい。
【００６１】
以上の２実施形態のものはいずれも、後耳係止部３０については、吊り具本体１０側に長孔１１ａが形成されているが、吊り具本体１０に長孔１１ａを設けられない場合や、出具合調整用の長孔１１ａを有さない軒樋支持具の場合などには、係止片２３、３３の取付部２３ａ、３３ａに長孔を形成してもよい。
【００６２】
図６は、長孔を係止片３３に形成した軒樋支持具１の説明図である。このものは後耳係止部３０を例示した。
【００６３】
図６（ａ）は、係止片３３の蓋片部３３ｄで下方開口３１ａ（図３参照）を塞いだ状態を示す部分斜視図である。この状態では連結軸１５は係止片３３の長孔３３ｃの前端部に位置する。係止片３３が前方に移動するようにスライド操作をすると、連結軸１５はその位置は変動しないが、係止片３３の移動により長孔３３ｃの後部側に相対移動する。このようにして下方開口３１ａが開放する。また、図６（ｃ）の平面図に示すように、係止片３３を回転させて下方開口３１ａを開放することもできる。
【００６４】
ようするに、本軒樋支持具１は吊り具本体１０の端部に、軒樋５の耳部５ｂを耳収容凹所３１内に収容し係止する係止片３３が配設されたものであり、係止片３３は、前後または上下方向に延びた長孔３３ｃを有し吊り具本体１０に取り付けされる取付部３３ａと、耳収容凹所３１の下方開口３１ａに下方開口３１ａを塞ぐように配される蓋片部３３ｄとを備えており、取付部３３ａは、長孔３３ｃの長手方向に沿ったスライド移動により下方開口３１ａを開放できるように、吊り具本体１０に対し、長孔３３ｃを介して、連結軸１５にて取り付けられている（図１および図６参照）。
【００６５】
以上に説明した実施形態のものは、連結軸１５、１６としてリベットが採用してあるが、これに代えてボルト、ナットを用いてもよい。ボルト、ナットを用いれば、ナットを少し緩めることで係止片２３、３３のスライド、回転動作をしやすくすることができる。
【符号の説明】
【００６６】
１          軒樋支持具
３          軒先面
１０        吊り具本体
１１        調整部
１１ａ      長孔
１５、１６  連結軸
２０        前耳係止部
２１        前耳収容凹所（耳収容凹所）
２１ａ      下方開口
２２        前耳支持部
２２ａ      載置部
２３        前耳係止片（係止片）
２３ａ      取付部
２３ｂ      連結孔
２３ｃ      蓋片部
２５        立ち上がり部
２５ａ      長孔
３０        後耳係止部
３１        後耳収容凹所（耳収容凹所）
３１ａ      下方開口
３２        後耳支持部
３２ａ      載置部
３２ｂ      ガイド部
３３        後耳係止片（係止片）
３３ａ      取付部
３３ｂ      連結孔
３３ｃ      長孔
３３ｄ      蓋片部
３３ｅ      垂下部
３３ｆ      横片部
３３ｇ      レバー片
３５        立ち上がり部
４０        取付足
４１        杆部
４１ａ      連結片部
４２        垂下片
４５        軒先取付板部
４５ａ      中央基部
４５ｂ      固定部
４６        リベット
４７        固定具
４８        ボルト
４９        蝶ナット
５０        吊りボルト
５１、５２  ナット
５３        ナット付き山座
５          軒樋
５ａ        前耳（耳部）
５ｂ        後耳（耳部）
５ｃ        後方壁
【図１】
2019132018.tif 000003
【図２】
2019132018.tif 000004
【図３】
2019132018.tif 000005
【図４】
2019132018.tif 000006
【図５】
2019132018.tif 000007
【図６】
2019132018.tif 000008